(57)【要約】【課題】パッテイング動作をスムースに案内または誘導して矯正でき、実際のパッテイング動作により近い状態でパッテイング動作を体得できるようにする。【解決手段】パッテイング面上の所定高さに軸受部を有する本体と、軸受部に、パッテイング面に対して所定傾斜角度で円弧状に揺動可能に支持された揺動アームと、パターのシャフトを把持するための把持部と、この把持部を揺動アームの先端部に連結し、かつその連結軸心の周りに把持部を回動可能とする回動連結部とを備え、パッテイング動作を把持部の動きに対応させることにより矯正するパッテイング動作矯正装置。【選択図】  図１
2004242935.tif 000002
【特許請求の範囲】
【請求項１】
パッテイング面上の所定高さに軸受部を有する本体と、
前記軸受部に、パッテイング面に対して所定傾斜角度で円弧状に揺動可能に支持された揺動アームと、
パターのシャフトを把持するための把持部と、
この把持部を前記揺動アームの先端部に連結し、かつその連結軸心の周りに前記把持部を回動可能とする回動連結部と
を備え、パッテイング動作を前記把持部の動きに対応させることにより矯正するパッテイング動作矯正装置。
【請求項２】
把持部が、パターのシャフトの把持を解除可能に構成してなる請求項１に記載のパッテイング動作矯正装置。
【請求項３】
揺動アームが、軸受部から先端部までの距離を変更可能に構成してなる請求項１または２に記載のパッテイング動作矯正装置。
【請求項４】
揺動アームが、軸受部にパッテイング面に対して所定傾斜角度で円弧状に揺動可能に支持された揺動アーム部と、この揺動アーム部の先端部分に、軸受部から揺動アームの先端部までの距離を変更させるために回動可能に連結され、かつ回動連結部に連結された回動アーム部とからなる請求項３に記載のパッテイング動作矯正装置。
【請求項５】
揺動アーム部が、クランク状である請求項４に記載のパッテイング動作矯正装置。
【請求項６】
回動連結部が、揺動アームの所定傾斜角度を調整するための傾斜角度調整手段を該回動連結部の把持部側または揺動アーム側にさらに備えた請求項１〜５のいずれか一つに記載のパッテイング動作矯正装置。
【請求項７】
回動連結部が、把持部に連結された傾斜角度調整手段と、この傾斜角度調整手段から略水平に延びる水平管状体と、この管状体を揺動アームの先端部に管状体の水平軸心の周りに回動可能に連結するボールベアリングとからなる請求項６に記載のパッテイング動作矯正装置。
【請求項８】
揺動アームの所定傾斜角度が、９０度または７１度である請求項１〜７のいずれか一つに記載のパッテイング動作矯正装置。
【請求項９】
揺動アーム部が、その初期アーム長さを調整するための初期アーム長さ調整手段をさらに備えた請求項４または５に記載のパッテイング動作矯正装置。
【請求項１０】
揺動アームが、軸受部に近い方から略垂下する垂下アーム部と、この垂下アーム部から前方に略水平に延びる水平アーム部とを備え、
初期アーム長さ調整手段が、両アーム部にそれぞれ介設され、各アーム部長さを調整するための一対の初期アーム部長さ調整手段からなる請求項９に記載のパッテイング動作矯正装置。
【請求項１１】
本体が、軸受部と、この軸受部をパッテイング面上の所定高さに支持する支柱と、この支柱に付設され、軸受部の高さを調整するための軸受部高さ調整手段とを備えた請求項１〜１０のいずれか一つに記載のパッテイング動作矯正装置。
【請求項１２】
本体が、支柱を支持し、かつパッテイング面上またはパッテイングマットを設置するベース面上に移動可能に載置する基台をさらに備えた請求項１１に記載のパッテイング動作矯正装置。
【請求項１３】
分解・組立て可能で、かつ携帯可能である請求項１２に記載のパッテイング動作矯正装置。
【発明の詳細な説明】
【０００１】
【発明の属する技術分野】
本発明は、パッテイング動作矯正装置に関し、さらに詳しくは、ゴルフやゲートボールのボールを所望方向にパッテイングするためのパッテイング動作、つまりボールの打点でパターのフェイスを所望の方向に向けることができるパターのスイング動作を機械的に案内または誘導することにより、プレイヤーのパッテイング動作を矯正するパッテイング動作矯正装置に関する。
【０００２】
【従来の技術】
ゴルフの標準的なプレイヤーにとって、パッテイングは予想以上に難しいものであるが、具体的にその難しさを表わすデータとして、パッテイングでのストローク数は総ストローク数の約４０％を占めるとよく言われる。それゆえに、プレイヤーはパッテイングストローク数を減らすための技術の鍛錬に腐心する。
【０００３】
パッテイングストロークの基本は、一般的にパッテイングしようとするボールとカップまでの距離に応じた任意のストローク幅で、テイクバックおよびフォロスルーをパターフェイス面がゴルフボールの所望パッテイング方向（打出し方向）に対して９０度の角度を保ちながら、パターヘッドの中心部でヒットすることにある。もちろん、プレイヤーの慣性やプレイ技術の一つとして、パターヘッドのトウ（先端）部分またはヒール（後端）部分でヒットする場合もあるが、この場合でもゴルフボールの打出し角度は、目標方向に対してパターフェイスが９０度であることが重要である。
【０００４】
しかしながら、パッテイングプレイで要求される上記方法をプレイヤーが常に再現するのはきわめて難しく、プレイヤー自らの技術の鍛錬によって慣性を体得するしか方法は無いとされている。
このようなパッテイング方法をプレイヤーの慣性として体得するために、従来からさまざまなパッテイング矯正機やパッテイング練習機が提案されている。
特に、パターのスイング動作を機械的に案内または誘導することにより、プレイヤーのパッテイング動作を矯正するパッテイング動作矯正装置としては、例えば、ゴルフボールを転動できる転動面を有すると共にこの転動面から直線状でパッテイングの軌跡に対応した弧状の上端面を有する一対の平行なガイドレールを立設し、かつゴルフのパターを保持する保持部と、この保持部をガイドレールに沿ってガイドするガイド部材とを備えたパター練習装置が知られている（例えば、特許文献１参照）。
【０００５】
【特許文献１】
特開平６−１２６０１０号公報
【０００６】
【発明が解決しようとする課題】
このパター練習装置は、ガイドレール上に沿ってゴルフのパターをスイングさせるとパターフェイス面がゴルフボールの所望パッテイング方向に対して９０度の角度を保つことができるが、パターの保持部とガイド部材とは、ガイドレールの上方へ自由に離れることができるので、意識的にガイドレール上に摺動するように押さえる必要がある。さらにこのパッテイングには、摺動による抵抗力が加わり、スムースな動作ができないし、確実な動作の案内または誘導が難しく、十分な矯正ができない。
【０００７】
【課題を解決するための手段】
そこで、本発明者は、鋭意研究を重ね、パッテイング動作中、パターが振子に近い状態に振られていることに着目し、パッテイング面より高い位置に支点を有する揺動アームの揺動をベースにしてパッテイング動作を案内または誘導し矯正できるようにすれば、パッテイング動作を、実際のパッテイング動作により近く、かつパッテイングストロークの基本に忠実な状態で体得できることを見出し、本発明を完成するに至ったものである。
【０００８】
すなわち、本発明は、パッテイング面上の所定高さに軸受部を有する本体と、
前記軸受部に、パッテイング面に対して所定傾斜角度で円弧状に揺動可能に支持された揺動アームと、
パターのシャフトを把持するための把持部と、
この把持部を前記揺動アームの先端部に連結し、かつその連結軸心の周りに前記把持部を回動可能とする回動連結部と
を備え、パッテイング動作を前記把持部の動きに対応させることにより矯正するパッテイング動作矯正装置である。
【０００９】
要するに、本発明は、パッテイング面上の所定高さに揺動アームを軸支し、この揺動アームをその先端部にパターのシャフトの把持部を連結し、かつその連結軸心の周りに把持部を回動可能とすることによって、パッテイング動作を把持部の動きに対応させると、それによってパッテイング動作をスムースに案内または誘導して矯正でき、実際のパッテイング動作により近い状態でパッテイング動作を体得できるようにするものである。
さらに、本発明は、パターのヘッドではなくシャフトを把持できるようにしているので、その把持を解除可能にすれば、ヘッドの形状に左右されず大抵のパターの使用が可能となり、これによってプレイヤーが常用する自身のパターでのパッテイング動作の矯正が可能となる。
【００１０】
【発明の実施の形態】
本発明に係るパッテイング動作矯正装置において、本体は、パッテイング面上の所定高さに軸受部を有する。
この軸受部としては、後述する揺動アームを滑らかに揺動（振動、回動または回転）可能に支持する必要から、転がり軸受、すべり軸受を挙げることができ、特に限定されないが、前者に含まれるボールベアリングが好ましい。なお、後者には、軸受メタルまたは樹脂製（例えばナイロン樹脂製）ブッシングまたはカラーを用いることができる。
【００１１】
本体は、具体的には、このような軸受部と、この軸受部をパッテイング面上の所定高さに支持する支柱と、この支柱に付設され、軸受部の高さを調整するための軸受部高さ調整手段とで構成できる。そして、本体は、支柱を支持し、かつパッテイング面上またはパッテイングマットを設置するベース面上に移動可能に載置する基台をさらに備えることもできる。この基台の大きさ、形状、材料は、プレイヤー自身の両足を載置でき、それによって本発明に係るパッテイング動作矯正装置を動かないように安定させる程度の機能、強度および耐久性を備えるものであれば、特に限定されるものではない。
【００１２】
ここで、軸受部について、所定高さとは、プレイヤーがパターを握るグリップの位置より低く、かつパッテイング動作に支障がない範囲内で予め設定する高さを意味する。例えば、この所定高さは、パターの全長によって左右されるわけであるが、標準的な長さのパターに基づいて設定する場合には、例えば、４５〜６５ｍｍ、好ましくは５０〜５５ｍｍの高さに設定される。そして、実際に使用するときには、プレイヤーのパターの全長に対応して適宜軸受部の高さを調整するために、上述のごとく軸受部の高さを調整するための軸受部高さ調整手段を支柱に付設するのが好ましいわけである。
【００１３】
この軸受部高さ調整手段は、特に限定されないが、支柱を、外筒と、この外筒内を上下に摺動移動可能な内筒とに二分し、かつ外筒に螺子を取り付けることによって構成できる。螺子は、ねじ込みよって内筒を所望の高さに固定し、それによって軸受部を所定高さから所望の高さに調整（変更）固定できる。
【００１４】
本発明において、この軸受部は、パッテイング面に対して所定傾斜角度で円弧状に揺動可能に揺動アームを支持する。
この揺動アームとしては、揺動に耐え、かつ揺動に大きな力を要しないように適度に剛性で軽量の板状体、棒状体または管状体を用いることができる。
この揺動アームは、軸受部から先端部までの距離を変更可能に構成するのが好ましい。具体的には、揺動アームを、軸受部にパッテイング面に対して所定傾斜角度で円弧状に揺動可能に支持された揺動アーム部と、この揺動アーム部の先端部分に、軸受部から揺動アームの先端部までの距離を変更させるために回動可能に連結され、かつ回動連結部に連結された回動アーム部とで構成する例を挙げることができ、特に揺動アーム部をクランク状に構成するのが好ましい。
【００１５】
パッテイングストロークの基本は、既に述べたごとく任意のストローク幅で、パターフェイス面がゴルフボールの所望パッテイング方向（打出し方向）に対して９０度の角度を保つことであるが、そのストローク幅についてパッテイング面にできるだけ沿ってパターヘッドを移動させることが好ましく、それが、上述のごとく揺動アームをその軸受部から先端部までの距離を変更可能に構成することによって可能になる。また、プレイヤーによってはパッテイング方向を合わせるためにパターのヘッドをボールの前に置くアドレス動作をよく見かけるが、この構成によってパターのヘッドを上下させる動作を可能にするという効果もある。
揺動アームは、後述するごとくその揺動をパターのシャフトを介してヘッドに伝達することになるので、その伝達がプレイヤーの腕に無理な力が加わらないでスムースに行われるように、そのアーム長さを弾性復元可能に変更調整するパッテイング時揺動アーム長さ調整手段をさらに備えるのが好ましい。
【００１６】
このパッテイング時揺動アーム長さ調整手段は、特に限定されないが、揺動アームを、第１アーム部と、この第１アーム部に一部重なる第２アーム部と、両アーム部の重なり部分に介在しそれぞれに回動可能に連結された中間アーム部とで構成し、第１アーム部と中間アーム部との間および中間アーム部と第２アーム部との間に、揺動アームの先端と末端との間の距離をパッテイング動作に対応して弾性復元可能に変更調整する一対のスプリングをそれぞれ張設して構成できる。このパッテイング時揺動アーム長さ調整手段は、パッテイング動作時に、揺動アームをその軸受部から先端部までの距離を変更可能にすることも含めてパッテイング動作をスムースに行え、かつプレイヤーの腕に無理な力が加わらないようにするためであるが、プレイヤーの腕が感じる抵抗力の大きさによって理想のパッテイング軌道からのズレを感知することもできる。
【００１７】
さらに、揺動アームは、その初期アーム長さを調整するための初期アーム長さ調整手段を備えることができる。この初期アーム長さ調整手段は、例えば、揺動アームを、軸受部に近い方から略垂下する垂下アーム部と、この垂下アーム部から前方略水平に延びる水平アーム部とで構成し、両アーム部に、各アーム部長さを調整するための一対の初期アーム部長さ調整手段をそれぞれ介設してもよい。
これらの初期アーム（部）長さ調整手段は、具体的には、付設する揺動アーム（部）を二分し、その一方のアーム（部）に長孔を形成し、この長孔を介して螺子を他方のアーム（部）に取り付け、締め付けることによって、両アーム（部）を結合でき、かつアーム（部）の初期長さを調整できる。
【００１８】
さらに、初期アーム長さ調整手段または初期アーム部長さ調整手段は、アームまたはアーム部の長さを弾性復元可能（または伸縮可能）に変更調整できるようにしてもよい。例えば、アームまたはアーム部を二分して長手方向にスライド可能にかつコイルスプリングなどを介して連結してもよい。もちろんこのようにアームまたはアーム部の長さを弾性復元可能に変更調整できるようにする場合は、上述のパッテイング時揺動アーム長さ調整手段を省略できる。
【００１９】
本発明においては、パターのシャフトを把持するための把持部を備え、特にその把持部は解除可能（脱着可能）に構成すると、把持部ヘッドの形状に左右されず大抵のパターの使用が可能となり、これによってプレイヤーが常用する自身のパターでのパッテイング動作の矯正が可能となるので好ましい。
この把持部としては、その構成は特に限定されないが、一対の把持片と、これらの把持片の間にパターのシャフトを挟んで解除可能に締め付け把持（固定）する一対のボルトとで構成でき、さらに一方の把持片に他方の把持片を開閉可能に軸支し、両把持片の間にパターのシャフトを把持した状態でクリップ止め（固定）できるように構成してもよい。
なお、パターのシャフトを把持部に把持するに際しては、後述する揺動アームの下死点でパターフェイス面がパッテイングの目標方向に対して９０度の角度になるようにすることが重要である。
【００２０】
本発明においては、この把持部を揺動アームの先端部に連結し、かつその連結軸心の周りに前記把持部を回動可能とし、パッテイング動作中の揺動アームの揺動角度とシャフトのパッテイング動作角度との相違を許容する回動連結部を備えている。
この回動連結部としては、具体的には、把持部から延びる連結軸を揺動アームの先端部に実質的に連結し、かつその連結軸の中心軸の周りに把持部を揺動可能とする転がり軸受、すべり軸受を挙げることができ、特に限定されないが、前者に含まれるボールベアリングが好ましい。なお、後者には、軸受メタルまたは樹脂製（例えばナイロン樹脂製）ブッシングまたはカラーを用いることができる。把持部の連結軸を揺動アームの先端部近傍に連結する連結手段としては、連結軸に輪状の溝を形成し、その溝に軸受部の外部からピンを打ち込む構成を挙げることができる。
【００２１】
本発明において、揺動アームは、所定傾斜角度を、パッテイング時に自由に変更調整できるようにするか、所望により変更調整して一定傾斜角度にするための傾斜角度調整手段をさらに備えることができる。この傾斜角度調整手段としては、把持部の一部分または揺動アームの把持部側部分を水平軸の周りに回動可能に支持する支持部（支持機構）か、このような支持部と、この支持部を介して把持部を押さえることができ、それによってパッテイング面に対するシャフトの角度を、所定傾斜角度からプレイヤーのパッテイングスタイルに応じて所望の傾斜角度に調整し固定するためのボルトとからなる構成を挙げることができる。
【００２２】
次に、本発明に係るパッテイング動作矯正装置をその実施の形態に基づいて詳述する。
［実施の形態１］
図１は本発明に係るパッテイング動作矯正装置の実施の形態１を示す概略構成説明側面図、図２はその要部としての揺動アーム、その傾斜角度調整手段、把持部およびその把持部に把持されたパターヘッドの関係構造を示す拡大斜視図、図３は揺動アームのパッテイング時揺動アーム長さ調整手段の働きを説明する説明図である。
【００２３】
まず、図１において、ゴルフの携帯可能なパッテイング動作矯正装置１は、パッテイング面２上の所定高さ（Ｈ０）に軸受部３を有する本体４と、軸受部３に、パッテイング面２に対して所定傾斜角度α０（７１度）で円弧状に揺動可能に支持された揺動アーム５と、パター（好ましくはヘッド６近傍）のシャフト７を解除可能に把持するための把持部８と、この把持部を揺動アーム５の先端部近傍に連結し、かつその連結軸心Ｓの周りに把持部８を回動可能とし、パッテイング動作中の揺動アーム５の揺動角度とシャフト７の揺動角度との相違を許容する回動連結部９とを備えている。
【００２４】
本体４は、軸受部３と、この軸受部をパッテイング面２上の所定高さＨ０（例えば、５２ｍｍ）に支持する支柱１０およびその基台（基板）１２と、支柱１０に付設され、軸受部３の高さを調整するための軸受部高さ調整手段１１とからなる。なお、基台１２はパッテイング面２上に移動可能に載置されている。
【００２５】
ここで、軸受部３は、ボールベアリングよりなる。支柱１０は、外筒１０ａと、この外筒内を上下に摺動移動可能な内筒１０ｂと、外筒１０ａに取り付けた軸受部高さ調整手段１１としての螺子１１ａとからなり、この螺子を外筒１０ａにねじ込むことによって内筒１０ｂを固定でき、それによって軸受部３を所定高さＨ０に固定できる。さらに螺子１１ａをねじ戻して緩め内筒１０ｂを外筒１０ａ内で上下に摺動移動させ螺子１１ａを再びねじ込むことによって軸受部３の高さを調整（変更）できる。なお、支柱１０は、図示を省略しているが、螺子１１ａと揺動アーム５が揺動する空隙とを除いてカバーで覆われ、プレイヤーが接触して負傷する危険を防止することができる。
【００２６】
揺動アーム５は、軸受部３に近い方から所望角度で屈曲して略垂下する垂下アーム部１３と、この垂下アーム部から前方略水平に延びる水平アーム部１４とを備え、さらに垂下アーム部１３と水平アーム部１４とには初期アーム部長さ調整手段１５・１６をそれぞれ介設し、垂下アーム部１３と水平アーム部１４とをパッテイング時揺動アーム長さ調整手段１７を介して連結している。
初期アーム部長さ調整手段１５は、垂下アーム部１３を二分し、その一方のアーム部１３ａに長孔１８を形成し、この長孔を介して螺子１９を他方のアーム部１３ｂに取り付けることによって、両アーム部１３ａ・１３ｂを結合し、垂下アーム部の初期長さ調整を可能にしている。なお、水平アーム部１４に対する初期アーム部長さ調整手段１６は、上述の初期アーム部長さ調整手段１５と同様の構成であり、説明を省略する。
【００２７】
パッテイング時揺動アーム長さ調整手段１７は、特に図１および３において、揺動アーム５を、第１アーム部としてのアーム部１３ｂと、このアーム部に一部重なる第２アーム部２３と、両アーム部の重なり部分に介在しそれぞれに回動可能に連結された中間アーム部２４とで構成し、かつアーム部１３ｂと中間アーム部２４との間および中間アーム部２４と第２アーム部２３との間に、揺動アーム５の先端と末端との間の距離をパッテイング動作に対応して弾性復元可能に変更調整する一対のスプリング２５・２６をそれぞれ張設することによって構成される。
【００２８】
把持部８は、図１および２において、パターのシャフト７を、一対の把持片８ａ・８ｂの間に挟み（両把持片に対向して形成された溝８ｃ・８ｄにシャフト７を沿わせて挟み）、ボルト２７ａ・２７ｂを締めることによって把持・固定できるように構成されている。なお、８ｅは把持片８ｂからその溝８ｃ・８ｄに垂直に延び、揺動アーム５に実質的に連結される連結軸であり、その先端部近傍には輪状に溝８ｆを有する。
【００２９】
揺動連結部９は、把持部８の連結軸８ｅを揺動アーム５の先端部近傍に実質的に連結し、かつその連結軸８ｅの中心軸Ｓの周りに把持部８を揺動可能とするボールベアリングからなり、パッテイング動作中の揺動アーム５の揺動に対応して、把持部８をその中心軸Ｓ周りに揺動可能とし、シャフト７が揺動アーム５の揺動動作に追従できるようにしている。つまり、揺動連結部９としてのボールベアリングは、パッテイング動作中の揺動アーム５の揺動角度とシャフト７の揺動角度との相違を許容する。なお、このボールベアリングに形成された側孔９ａにピン９ｂをその先端が溝８ｆ内に届くように押込み、連結軸８ｅの抜けを防止している。９ｃはボールベアリング９から一体に延びる支持片である。
【００３０】
揺動アーム５は、所定傾斜角度（ライ角度）α０を、パッテイング時に自由に変更調整できるようにするための傾斜角度調整手段２８をさらに備えている。すなわち、傾斜角度調整手段２８は、支持片９ｃを水平軸の周りに揺動可能に支持する支持部２８ａからなり、シャフト７とパッテイング面２との角度を、パッテイング時に所定傾斜角度α０から所望の傾斜角度αに自由に変更調整できるようにしている。
【００３１】
次に、以上の構成を備えたパッテイング動作矯正装置１の作動を説明する。
まず、プレイヤーＰのパッテイングスタイルに応じて、軸受部３の高さを調整（変更）する。
軸受部３の高さは、螺子１１ａを緩めて内筒１０ｂを上げ下げし螺子１１ａを締めることによって変更できる。
【００３２】
次いで、パターのシャフト７を把持部８に把持（固定）する．この際、円弧状に揺動する揺動アーム５の下死点でパターフェイス面がパッテイング目標方向に対して９０度の角度になるようにすることが重要である。
そして、プレイヤーＰは、その両足を基台１２の上に置いて基台１２をしっかり押さえ、所望のパッテイング方向に対してパターのフェイスが９０度の角度になるようパッテイング動作（パターのスイング動作）をゆっくり開始する。そしてシャフト７とパッテイング面２との所定傾斜角度（ライ角度）α０を自身のパッテイングスタイルに合わせて適宜変え（支持部２８ａによって自由に変えることができる）、パッテイング動作を続けてその動作に抵抗感があれば、それだけ理想のパッテイング動作からズレていることになるので、抵抗感が少なくなるようにそのパッテイング動作を繰り返しそのときの感覚がプレイヤーの慣性となるように矯正し、そのときの感触を体得するように努める。
なお、本装置１によれば、パターのヘッドではなく、シャフト７を把持できるようにしているので、ヘッドの形状に左右されず大抵のパターの使用が可能となり、これによってプレイヤーが常用する自身のパターでのパッテイング動作の矯正が可能となる。
【００３３】
［実施の形態２］
図４は本発明の他の実施の形態２を示す図１相当図、図５はその要部を示す拡大斜視図である。
【００３４】
まず、図４において、ゴルフの携帯可能なパッテイング動作矯正装置４１は、パッテイング面４２上の所定高さ（Ｈ０）に軸受部４３を有する本体４４と、軸受部４３に、パッテイング面４２に対して所定傾斜角度α０（９０度）で円弧状に揺動可能に支持された揺動アーム４５と、パター（好ましくはヘッド４６近傍）のシャフト４７を解除可能に把持するための把持部４８と、この把持部を揺動アーム４５の先端部近傍に連結し、かつその連結軸心Ｓの周りに把持部４８を回動可能とする回動連結部４９とを主として備えている。
【００３５】
本体４４は、軸受部４３と、この軸受部をパッテイング面４２上の所定高さＨ０（例えば、５２ｍｍ）に支持する支柱５０およびその基台（基板）５２と、支柱５０に付設され、軸受部４３の高さを調整するための軸受部高さ調整手段５１とからなる。なお、基台５２は、アルミニウム製で、パッテイング面４２上に移動可能に載置されている。
【００３６】
ここで、軸受部４３は、ボールベアリングよりなる。支柱５０の構成は、実施の形態１を示す図１のそれと同一であり、各構成および動作の説明を省略する。
【００３７】
図４および５において、揺動アーム４５は、軸受部４３にパッテイング面４２に対して所定傾斜角度で円弧状に揺動可能に支持され，クランク状の揺動アーム部４５ａと、この揺動アーム部の先端部分に、軸受部４３から揺動アーム４５の先端部までの距離を変更させるために回動可能に連結され、かつ回動連結部４９に連結された回動アーム部５６とからなる。なお、揺動アーム部４５は、全体を軽量にするため長手方向にスリットを有している。５５はボールベアリングである。
【００３８】
把持部４８は、パターのシャフト４７を、一対の把持片４８ａ・４８ｂの間に挟み（両把持片に対向して形成された溝４８ｃ・４８ｄにシャフト４７を沿わせて挟み）、ボルト６７ａ・６７ｂを締めることによって、解除可能に把持・固定できるように構成されている。なお、４８ｅは把持片４８ｂからその溝４８ｃ・４８ｄに対して垂直に延び、後述する傾斜角度調整手段６８に実質的に連結される連結軸である。
【００３９】
回動連結部４９は、略水平に延びる水平管状体４９ｃと、この管状体を揺動アーム４５の先端部に管状体４９ａの水平軸心の周りに回動可能に連結するボールベアリング４９ａ・４９ｂとからなる。
【００４０】
回動連結部４９は、シャフト４７の傾斜角度（ライ角度）をパッテイング時に自由に変更調整できるようにするための傾斜角度調整手段６８を把持部４８との間にさらに備えている。すなわち、傾斜角度調整手段６８は、水平管状体４９ｃに一体に連結され、かつ連結軸４８ｅを水平軸の周りに回動可能に支持する支持部６８ａからなり、シャフト４７とパッテイング面４２との角度を、パッテイング時に所定傾斜角度α０から所望の傾斜角度（ライ角度）αに自由に変更調整できるようにしている。
【００４１】
次に、以上の構成を備えたパッテイング動作矯正装置４１の作動を説明する。
まず、プレイヤーＰのパッテイングスタイルに応じて、軸受部４３の高さを調整（変更）する。軸受部４３の高さは、軸受部高さ調整手段５１を実施の形態１と同様に操作して適宜変更できる。
【００４２】
次いで、パターのシャフト４７を把持部４８に把持（固定）する。この際、円弧状に揺動する揺動アーム４５の下死点（回転連結部４９の最下点）でパターフェイス面がパッテイング目標方向に対して９０度の角度になるようにすることが重要である。
そして、プレイヤーＰは、その両足を基台５２の上に置いて基台５２をしっかり押さえ、所望のパッテイング方向に対してパターのフェイスが９０度の角度になるようパッテイング動作（パターのスイング動作）をゆっくり開始する。この際、シャフト４７とパッテイング面４２との傾斜角度を自身のパッテイングスタイルに合わせて所定傾斜角度α０から適宜傾斜角度（ライ角度）αに変え（傾斜角度調整手段６８によって自由に変えることができる）、パッテイングのストローク幅についてパッテイング面４２にできるだけ沿ってパターヘッド４６を移動させる。この動作は、揺動アーム４５に回動可能に連結された５６によって、軸受部４３から先端部までの距離を変更可能に構成することによって可能になる。また、パターのヘッド４６を上下させる動作を可能にするので、プレイヤーの希望によりパッテイング方向を合わせるためにパターのヘッド４６をボールの前に置くアドレス動作をすることもできる。
【００４３】
パッテイング動作を続けてその動作に抵抗感があれば、それだけ理想のパッテイング動作からズレていることになるので、抵抗感が少なくなるようにそのパッテイング動作を繰り返しそのときの感覚がプレイヤーの慣性となるように矯正し、そのときの感触を体得するように努める。
なお、本装置４１によれば、パターのヘッドではなく、シャフト４７を把持できるようにしているので、ヘッドの形状に左右されず大抵のパターの使用が可能となり、これによってプレイヤーが常用する自身のパターでのパッテイング動作の矯正が可能となる。
【００４４】
なお、本発明に係るパッテイング動作矯正装置（またはパッテイング練習装置と称してもよい）は、ゴルフのパターだけではなく、ゲートボールのスティックなどのパッテイング動作を矯正するのにも好適に用いることができる。またこのパッテイング動作矯正装置は、全体的に小形で軽量に、必要により分解・組み立て可能に、構成してもよく、分解・組立て可能で、かつ携帯可能としてもよい。全体的に軽量にするには、各構成部品をできるだけプラスチック、アルミニウム合金のごとき軽量合金で形成するか、中空やスリット付き部品にするのがよい。
【００４５】
さらに、本発明に係るパッテイング動作矯正装置は、本体、揺動アーム、把持部、回動連結部などを備え、上述の実施の形態１および２では、これらの各構成をプレイヤーと把持されたパター（パッテイング動作空間）との間に配置している。しかしこれらの各構成とプレイヤーとの間にパターを把持するように構成することもできる。なお、この場合、把持部はプレイヤーがパターヘッドを見ながらパッテイングできるように水平に延びる回動連結部又はアーム部をＬ形に形成して把持するようにしてもよい。
【００４６】
【発明の効果】
本発明によれば、パッテイング面上の所定高さに揺動アームを軸支し、この揺動アームをその先端部にパターのシャフトの把持部を連結し、かつその連結軸心の周りに把持部を回動可能とすることによって、パッテイング動作を把持部の動きに対応させると、それによってパッテイング動作をスムースに案内または誘導して矯正でき、実際のパッテイング動作により近い状態でパッテイング動作を体得できる。
さらに、本発明によれば、パターのヘッドではなくシャフトを把持できるようにしているので、その把持を解除可能にすれば、ヘッドの形状に左右されず大抵のパターの使用が可能となり、これによってプレイヤーが常用する自身のパターでのパッテイング動作の矯正が可能となる。
【図面の簡単な説明】
【図１】本発明に係るパッテイング動作矯正装置の実施の形態１を示す概略構成説明側面図である。
【図２】図１の要部としての揺動アーム、把持部およびその把持部に把持されたパターヘッドの関係構造を示す拡大斜視図である。
【図３】揺動アームのパッテイング時揺動アーム長さ調整手段の働きを説明する説明図である。
【図４】本発明の他の実施の形態２を示す図１相当図である。
【図５】図４の要部を示す拡大斜視図である。
【符号の説明】
１          ゴルフのパッテイング動作矯正装置
２          パッテイング面
３          軸受部
４          本体
５          揺動アーム
６          パターヘッド
７          シャフト
８          把持部
９          揺動連結部
１０        支柱
１１        軸受部高さ調整手段
１２        基台
１３        垂下アーム部
１３ｂ      アーム部（第１アーム部）
１４        水平アーム部
１５、１６  初期アーム部長さ調整手段
１７        パッテイング時揺動アーム長さ調整手段
２３        第２アーム部
２４        中間アーム部
２５、２６  コイルスプリング
２８        傾斜角度調整手段
【図１】
2004242935.tif 000003
【図２】
2004242935.tif 000004
【図３】
2004242935.tif 000005
【図４】
2004242935.tif 000006
【図５】
2004242935.tif 000007